(57)【要約】      （修正有）【課題】操作が簡単で、繰り返し使用可能なバンドを安価に提供する。【解決手段】バンド本体１０と、バンド本体１０の一端部に設けられているバックル２０とを有する。バンド本体１０の少なくとも一面は、凹部と凸部がバンド本体１０の長さ方向に交互に連続する凹凸部１１を有する。バックル２０は、バンド本体１０をその先端部１３から導き入れるガイド部２１、２２と、バンド本体１０の凹凸部１１と嵌り合うロック爪２４を有する。バックル２０のガイド部２１、２２は、外力が加えられることにより変形してロック爪２４とバンド本体１０の凹凸部１１との嵌り合いを解放する。【選択図】図１
2018002253.tif 000002
【特許請求の範囲】
【請求項１】
バンド本体と、前記バンド本体の一端部に設けられているバックルとを有し、
前記バンド本体の少なくとも一面は、凹部と凸部が前記バンド本体の長さ方向に交互に連続する凹凸部を有し、
前記バックルは、前記バンド本体をその先端部から導き入れるガイド部と、前記バンド本体の前記凹凸部と嵌り合うロック爪を有し、
前記バックルの前記ガイド部は、外力が加えられることにより変形して前記ロック爪と前記バンド本体の前記凹凸部との嵌り合いを解放することができるバンド。
【請求項２】
前記バンド本体と前記バックルは、弾力性を持つ樹脂による一体成形品である請求項１記載のバンド。
【請求項３】
前記バックルの前記ガイド部は、一対の側壁と、前記側壁のそれぞれから一体に延びた一対の庇部を有してなる請求項１または２記載のバンド。
【請求項４】
前記バックルは、前記一対の庇部の相互間に開放部を有する請求項３記載のバンド。
【請求項５】
前記バックルの前記バンド本体の受け入れ方向は、前記バンド本体の長さ方向と同じ方向である請求項１乃至４のいずれかに記載のバンド。
【請求項６】
前記バックルの前記バンド本体の受け入れ方向は、前記バンド本体の長さ方向に対し直交する方向である請求項１乃至４のいずれかに記載のバンド。
【発明の詳細な説明】
【技術分野】
【０００１】
本発明は、結束用のバンドに関するもので、特に、再使用を可能にしたことを特徴とするものである。
【背景技術】
【０００２】
結束対象を簡単に結束することができるバンドが用いられている。広く知られているバンドは、バンド本体と、バンド本体の一端に一体に形成されているバックル部分を有してなる。バンド本体には凹凸が連続して形成され、バックル部分はバンド本体の凹凸に嵌り合う突起が形成されている。バンド本体の凹凸とバックル部分の突起との嵌り合い構造は、バンドで検束対象を引き締める方向にはバンド本体とバックル部分との相対移動が可能で、逆方向には相対移動が不可能な不可逆構造になっている。
【０００３】
上に説明したバンドは、結束作業が簡単なため、一度結束した後、解くことを想定していない、例えば、大量生産品であるワイヤハーネスが結束対象である場合などには便利である。しかし、結束対象を結束した後、結束を解く必要がある場合も多く、その場合はバンド本体を切断せざるを得ず、資源を無駄使いすることになる。したがって、上に説明したバンドは、一般家庭などで繰り返し使用するバンドとしては不向きである。
【０００４】
再使用を可能にしたバンドの例として、特許文献１記載の結束バンドがある。特許文献１記載の結束バンドは、バックルの部分に、複数の軸芯、ロック爪、ばね、解除レバー、滑車および着脱レバーなどを設ける必要があり、構造が複雑でコスト高になる。
【先行技術文献】
【特許文献】
【０００５】
【特許文献１】特開２００９−１２７９９号公報
【発明の概要】
【発明が解決しようとする課題】
【０００６】
本発明は、操作が簡単で、繰り返し使用可能なバンドを安価に提供することを目的とする。
【課題を解決するための手段】
【０００７】
本発明に係るバンドは、
バンド本体と、前記バンド本体の一端部に設けられているバックルとを有し、
前記バンド本体の少なくとも一面は、凹部と凸部が前記バンド本体の長さ方向に交互に連続する凹凸部を有し、
前記バックルは、前記バンド本体をその先端部から導き入れるガイド部と、前記バンド本体の前記凹凸部と嵌り合うロック爪を有し、
前記バックルの前記ガイド部は、外力が加えられることにより変形して前記ロック爪と前記バンド本体の前記凹凸部との嵌り合いを解放することができることを最も主要な特徴としている。
【発明の効果】
【０００８】
本発明によれば、バンド本体をバックルに挿入し引き締めるという簡単な操作で結束対象を結束することができる。バックルのガイド部に外力を加えて変形させることにより、凹部とロック爪との嵌り合いを解除することができ、バンドを再使用することができる。
【図面の簡単な説明】
【０００９】
【図１】本発明に係るバンドの実施例を示す平面図である。
【図２】前記実施例の一部断面左側面図である。
【図３】前記実施例のロック解除態様を示す一部断面左側面図である。
【図４】前記実施例の正面断面図である。
【図５】前記実施例の使用状態を拡大して示す正面断面図である。
【図６】前記実施例の使用状態の例を示す外観平面図である。
【図７】本発明に係るバンドの別の実施例を示す平面図である。
【図８】前記別の実施例の正面図である。
【図９】前記別の実施例の使用状態を示す正面図である。
【図１０】前記使用状態の一部断面平面図である。
【図１１】本発明に適用可能な凹凸部およびロック爪の別の例を示す拡大正面断面図である。
【発明を実施するための形態】
【００１０】
以下、本発明に係るバンドの実施例について図面を参照しながら説明する。
【実施例１】
【００１１】
図１乃至図４は、本発明に係るバンドの第１実施例を示し、図５、図６はその使用態様を示す。図１乃至図４に示すバンドは、バンド本体１０と、バンド本体１０の一端部に設けられているバックル２０とを有してなる。バンド本体１０の少なくとも一面、図示の実施例においてはバンド本体１０の背面は、凹部１２と凸部がバンド本体１０の長さ方向に交互に連続して形成された凹凸部１１を有している。
【００１２】
凹凸部１１は断面形状が矩形の凹部１２と凸部１４が交互に配列されたもので、凹部１２と凸部１４はバンド本体１０の幅方向全体にまたがって形成されている。バンド本体１０は、バックル２０の形成端と反対側の端部を先端部１３とする。先端部１３は、後で説明するバックル２０のガイド部に導き入れ易いように、先端に向かって順次厚さが薄くなるように傾斜面が形成されている。
【００１３】
バックル２０は、バンド本体１０をその先端部１３から導き入れるガイド部と、バンド本体１０の凹凸部１１の凹部１２と嵌り合うロック爪２４を有している。前記ガイド部は、バンド本体１０の幅方向の両端から一体に立ち上がった一対の側壁２１と、一対の側壁２１それぞれの上端から一体に延びた一対の庇部２２を有してなる。一対の庇部２２はそれぞれバンド本体１０の幅方向中心に向かって延びているが、一対の庇部２２相互間には開放部２３が形成され、開放部２３を挟んで一対の庇部２２が対向している。
【００１４】
バンド本体１０の上面と、バックル２０の一対の側壁２１と庇部２２とによって矩形の空間が形成され、この空間が前記ガイド部になっている。このガイド部の空間の横幅はバンド本体１０の幅よりも大きく、前記ガイド部の空間の高さはバンド本体１０の厚さよりも大きい。前記ロック爪２４は、前記ガイド部内において、バンド本体１０の上面に一体に形成されている。ロック爪２４は、バックル２０のほぼ中央部に位置している。
【００１５】
前記ロック爪２４は、図５に示すように、前記ガイド部に導き入れられたバンド本体１０の凹凸部１１を構成する凹部１２の一つと嵌り合う。ロック爪２４は凹部１２と嵌り合った状態を維持することができるように、バンド本体１０の長さ方向に切断した場合の断面形状が凹部１２の断面形状と同様に矩形状になっている。バンド本体１０の幅方向におけるロック爪２４の長さは、バンド本体１０の幅方向長さよりも短くなっていて、バックル２０によるバンド本体１０のロックを解除するときの操作を容易にしている。
【００１６】
以上説明した実施例に係るバンドは、バンド本体１０とバックル２０を含めて、弾力性を持つ樹脂による一体成形品である。したがって、バンド本体１０は弧を描きながら屈曲することができ、バックル２０のガイド部を構成する側壁２と庇部２２は、図３に示すように、バンド本体１０の幅方向外側に向かって屈曲することができる。この側壁２と庇部２２の屈曲によって、バンド本体１０の凹部１２とロック爪２４との嵌り合いを解くことができる。
【００１７】
次に、前記実施例の使用方法について、図５、図６を参照しながら説明する。図５に示すように、バンド本体１０を湾曲させてループを描き、バンド本体１０の先端部１３をバックル２０の前記ガイド部に導き入れる。バンド本体１０が描く前記ループによって結束対象３０を囲み、バックル２０に対しバンド本体１０を相対移動させて前記ループにより結束対象３０を引き締める。
【００１８】
引き締め時に、ロック爪２４にバンド本体１０の凹部１２が嵌り込もうとするが、バンド本体１０の先端１３側をバックル２０に対して強制的に引っ張る。バンド全体が弾力性を持つ樹脂による一体成形品であることから、バックル２０のガイド部を構成する側壁２と庇部２２およびバンド本体１０自体が撓みながら前記凹凸部１１の凸部１４がロック爪２４を乗り越えていく。
【００１９】
図６に示すように、結束対象３０を適宜の締め付け力で締め付けた状態でバンドによる締め付け力を解除すると、バンド本体１０の凹部１２の一つとロック爪２４が嵌り合う。この嵌り合いは、バンド本体１０がバックル２０の側壁２１と庇部２２の復元力によって維持され、結束対象３０を結束する力が維持される。
【００２０】
バンドによる結束対象３０の結束を解除するには、図３に示すように、バックル２０の前記ガイド部に、外力を加えてガイド部を変形させ、ロック爪２４とバンド本体１０の凹凸部１１との嵌り合いを解放する。図３に示す例では、ガイド部を構成する一対の側壁２１と庇部２２のうち片方の側壁２１と庇部２２を、バンド本体１０の幅方向外側に撓ませて、開放部２３をさらに大きく解放させている。
【００２１】
開放部２３が大きく解放した状態に至ると、開放部２３からバンド本体１０を引き上げ、凹部１２とロック爪２４との嵌り合いを解除することができる。こうしてバンドによる結束対象の結束を解除することができる。バックル２０の側壁２１と庇部２２は弾性力により元の位置に復帰し、バンドは再使用することができる。
【００２２】
以上説明した実施例によれば、バンド本体１０をその先端部１３からバックル２０に挿入し引き締めるという簡単な操作で結束対象を結束することができる。バックル２０の側壁２１と庇部２２に外力を加えて側壁２１と庇部２２を弾性変形させることにより、凹部１２とロック爪２４との嵌り合いを解除することができ、バンドを再使用することができる。
【実施例２】
【００２３】
図７、図８は第２の実施例の構成を示し、図９、図１０は第２の実施例の使用例を示す。図７、図８に示すように、第２の実施例が第１の実施例と異なるのは、バックル２０のガイド部によるバンド本体１０受け入れ方向乃至はガイド方向である。第１の実施例では、バックル２０のガイド部によるバンド本体１０の受け入れ方向は、前記バンド本体１０の長さ方向と同じ方向であった。
【００２４】
これに対して第２の実施例では、バックル２０のガイド部によるバンド本体１０の受け入れ方向は、バンド本体１０の長さ方向に対し直交する方向である。その他の構成は第１の実施例と同じであるから、各構成部分に第１の実施例で使用した同じ符号を付している。
【００２５】
図９、図１０に示す第２の実施例の使用例は、縦方向の円柱状の結束対象３０と横方向の円柱状の結束対象４０を交差させてバンドで結束し、結束対象３０と結束対象４０を交差させた状態に維持する例である。
【００２６】
まず、バックル２０を結束対象３０の側方に位置させ、バンド本体１０を結束対象３０のほぼ前半面に倣わせながら後方に引き回す。次にバンド本体１０を９０度捩じりながら結束対象４０の後方に引き回し、結束対象４０の後半面に倣わせながら前方に引き回す。
【００２７】
続いて、バンド本体１０を９０度捩じりながら前方に引き回し、結束対象３０の前半面に倣わせながら後方に引き回す。さらに、バンド本体１０を９０度捩じりながら結束対象４０の後方に引き回し、結束対象４０の後半面に倣わせながら前方に引き回す。次に、バンド本体１０の先端部１３をバックル２０の前記ガイド部に挿入し、バンド本体１０の先端部１３側をバックル２０に対し相対移動させながら引き締める。
【００２８】
図９、図１０に示す使用例では、結束対象３０，４０に対するバンド本体１０の引き回し順序は、水平方向左から右→水平方向後方→垂直方向上から下→水平方向前方→水平方向右から左→水平方向後方→垂直方向下から上→水平方向前方の順である。この引き回し順序は一例であって、この逆の順序であってもよいし、開始位置も任意である。
【００２９】
バンド本体１０を十分な力で引き締めた状態で引き締め力を解除すると、前記凹部１２の一つがロック爪２４に嵌り合ってロックされた状態になる。こうして、バンドにより結束対象３０と結束対象４０が交差した状態に維持される。
【００３０】
第２の実施例に係るバンドも、前記結束状態を解除して再使用することができる。結束状態の解除は第１の実施例と同じで、バックル２０の前記ガイド部に外力を加えてガイド部を変形させ、ロック爪２４とバンド本体１０の凹凸部１１との嵌り合いすなわちロック状態を解除する。ロック状態を解除した後は前記ガイド部がその弾性力によって元の位置に復帰し、バンドを再使用することができる。
【００３１】
［凹凸部およびロック爪の別の例］
図１１は、バックル２０の部分に形成したロック爪の断面形状と、バンド本体１０の凹凸部１１の断面形状が異なるものである。図１１に示す矢印の方向を、ガイド部にバンド本体１０を挿入する方向とすると、挿入方向前側のロック爪２４１の立ち上がり角度は直角である。これに対し、挿入方向後側のロック爪２４１の立ち上がり角度は、挿入方向前側に向かって傾斜した傾斜面になっている。
【００３２】
バンド本体１０の凹凸部１１を構成する各凹部１２１も、前記挿入方向前側の突出角度は直角であるのに対し、挿入方向後側の突出角度は、挿入方向後側に向かって傾斜した傾斜面になっている。したがって、図１１に示すように、凹部１２１の一つがロック爪２４１に嵌り合った状態では、バンド本体１０の面から直角に突出した前記挿入方向前側の面同士が当たり、挿入方向後側の傾斜面同士がほぼ平行に向き合う。
【００３３】
バンド本体１０にループを描かせ、バンド本体１０の先端部１３からバックル２０のガイド部に導き入れると、凹凸部１１を構成する凹部１２１間の凸部１２２がロック爪２４１を乗り越えながら、バンド本体１０が結束対象を引き締める。前記凸部１２２がロック爪２４１を乗り越えるとき、互いに平行なロック爪２４１の傾斜面が、凹部１２１の傾斜面と摺動しながら凹部１２１の傾斜面の相対移動を許容し、引き締め操作を容易に行うことができる。
【００３４】
バンド本体１０に加える引き締め力を解除すると、一つの凹部１２１の前記挿入方向前側の垂直な面が、ロック爪２４１の前記挿入方向前側の垂直な面に当たり、バンド本体１０はバックル２０から抜け出ることができないロック状態になる。ロック状態を解除するには、図３について説明した通り、側壁２１と庇部２２からなるガイド部を弾性変形させてバンド本体１０をバックル２０から抜け出させる。
【００３５】
図１１に示すようなロック爪２４１と各凹部１２１の形状にすれば、結束対象の引き締め操作を容易にしながら、ロック爪２４１に対する凹部１２１の嵌り合いを確実に行わせることができる。
【００３６】
前記各実施例において、凹凸部１１は、バンド本体１０の両面に設けてもよい。かかる形状にしておけば、バンド本体１０を捩じった場合も、凹凸部１１の形成面を意識することなく結束対象を引き締めることができる。
【符号の説明】
【００３７】
１０    バンド本体
１１    凹凸部
１２    凹部
１３    先端部
２０    バックル
２１    側壁
２２    庇部
２３    解放部
２４    ロック爪
３０    結束対象
４０    結束対象
５０    結束対象
【図１】
2018002253.tif 000003
【図２】
2018002253.tif 000004
【図３】
2018002253.tif 000005
【図４】
2018002253.tif 000006
【図５】
2018002253.tif 000007
【図６】
2018002253.tif 000008
【図７】
2018002253.tif 000009
【図８】
2018002253.tif 000010
【図９】
2018002253.tif 000011
【図１０】
2018002253.tif 000012
【図１１】
2018002253.tif 000013